(57)【要約】【課題】  交差する鉄筋への取り付け動作が容易でかつ位置決めも可能とする鉄筋用保持具の提供。【解決手段】  交差する２本の鉄筋をこれらの交差点で固定保持するための鉄筋用保持具である。２本の鉄筋のうちの一方において、その中心線に対して右側から当接する右側部材と、この２本の鉄筋のうちの一方において、その中心線に対して左側から当接する左側部材と、右側部材及び左側部材を一体に接続する接続部材と、により構成される。右側部材及び左側部材は、２本の鉄筋のうちの一方に対して側部に当接する側部当接部及び底部に当接する底部当接部と、２本の鉄筋のうちの他方を内側に収容する断面略Ｃ字状の屈曲部と、を備える。そして、右側部材、左側部材及び接続部材は、いずれも線材として一体に形成される。【選択図】図１
2019065539.tif 000002
【特許請求の範囲】
【請求項１】
交差する２本の鉄筋をこれらの交差点で固定保持するための鉄筋用保持具であって、
前記２本の鉄筋のうちの一方において、その中心線に対して右側から当接する右側部材と、
前記２本の鉄筋のうちの一方において、その中心線に対して左側から当接する左側部材と、
前記右側部材及び前記左側部材を一体に接続する接続部材と、
により構成され、
前記右側部材及び前記左側部材は、前記２本の鉄筋のうちの一方に対して側部に当接する側部当接部及び底部に当接する底部当接部と、前記２本の鉄筋のうちの他方を内側に収容する断面略Ｃ字状の屈曲部と、を備え、
前記右側部材、前記左側部材及び前記接続部材は、いずれも線材として一体に形成されている
ことを特徴とする鉄筋用保持具。
【発明の詳細な説明】
【技術分野】
【０００１】
本発明は、コンクリートの基礎に埋入される複数の鉄筋を固定保持する鉄筋用保持具に関し、特に、複数の鉄筋の交差点において簡易にこれらを固定保持できる鉄筋用保持具に関する。
【背景技術】
【０００２】
建造物等に適用されるコンクリートの基礎に複数の鉄筋を埋入させる場合、まず所定の方向に略平行に並ぶように複数の鉄筋を配置し、これらの並べられた鉄筋と交差する方向に、別の複数の鉄筋を略平行に並ぶように配置して互いの位置決めをした後、これらの鉄筋の交差点に針金等の線材を巻き付けて結束して固定保持する手法が知られている。そして、このように鉄筋を結束した後、型枠内にコンクリートを打ち込んで乾燥させることにより、鉄筋とコンクリートとを一体化して構造物とする。
【０００３】
このような手法で鉄筋を固定保持する場合、鉄筋どうしを交差点で結束する作業を人手で行うため、所定の位置に正確かつ安定して固定保持するのが困難であり、作業性が悪くなるという問題があった。このような問題を解決するために、例えば特許文献１では、主筋としての異形棒鋼とフープ筋との交差点において、複数本の針金を束ねて針金束とし、この針金束を異形棒鋼とフープ筋とに対角状に襷掛けで巻き付けた後、端部同士を捩って縛ることにより結束する方法、が開示されている。
【先行技術文献】
【特許文献】
【０００４】
【特許文献１】特開２００４−９２２４８号公報
【発明の概要】
【発明が解決しようとする課題】
【０００５】
上記特許文献１に記載された異形棒鋼とフープ筋とを針金束で結束する方法においては、異形棒鋼とフープ筋との交差点に直接針金束を巻き付けるため、両者を確実に結束できるものの、その作業を人力で行わなければならないため、結束点数が増加すると、多くの人手を要するとともに作業時間も増加してしまうという問題がある。また、いったん針金束を巻き付けた後に針金束を捩って固定するため、異形棒鋼とフープ筋との微妙な位置ずれを修正することが困難であるという問題もあった。
【０００６】
そこで、本発明の目的は、交差する鉄筋への取り付け動作が容易でかつ位置決めも可能とする鉄筋用保持具を提供することにある。
【課題を解決するための手段】
【０００７】
上記課題を解決するために、本発明による交差する２本の鉄筋をこれらの交差点で固定保持するための鉄筋用保持具は、前記２本の鉄筋のうちの一方において、その中心線に対して右側から当接する右側部材と、前記２本の鉄筋のうちの一方において、その中心線に対して左側から当接する左側部材と、前記右側部材及び前記左側部材を一体に接続する接続部材と、により構成され、前記右側部材及び前記左側部材は、前記２本の鉄筋のうちの一方に対して側部に当接する側部当接部及び底部に当接する底部当接部と、前記２本の鉄筋のうちの他方を内側に収容する断面略Ｃ字状の屈曲部と、を備え、前記右側部材、前記左側部材及び前記接続部材は、いずれも線材として一体に形成されていることを特徴とする。
【０００８】
かかる発明によれば、２本の鉄筋のうちの一方を保持する側部当接部及び底部当接部と、上記２本の鉄筋のうちの他方を保持する屈曲部と、をそれぞれ備えた右側部材及び左側部材を接続部材とともに線材として一体に形成した構造を有するため、交差する鉄筋の交差点において、一連の押し込み動作（いわゆる「ワンタッチ」作業）で容易に取り付けることができ、かつ取り付け後に個々の鉄筋の長手方向に位置調整が可能となる。
【図面の簡単な説明】
【０００９】
【図１】本発明の代表的な一例による鉄筋用保持具の概要を示す図であって、図１（ａ）は上面図、図１（ｂ）は正面図、図１（ｃ）は側面図、をそれぞれ示す。
【図２】図１に示した鉄筋用保持具を用いた鉄筋の固定保持方法の概略を示す図であって、図２（ａ）は鉄筋を交差させた状態、図２（ｂ）は鉄筋用保持具を配置した状態、図２（ｃ）は鉄筋用保持具を押し込んでいる状態、図２（ｄ）は固定保持が終了した状態をそれぞれ示す。
【発明を実施するための形態】
【００１０】
以下、本発明の代表的な一例による鉄筋用保持具と、これを用いた複数の鉄筋の固定保持方法の具体的な構成について図面を用いて説明する。
【００１１】
図１は、本発明の代表的な一例による鉄筋用保持具の詳細を示す図であって、図１（ａ）は上面図、図１（ｂ）は正面図、図１（ｃ）は側面図、をそれぞれ示す。なお、図１（ｂ）は、図１（ｃ）の図示上左側すなわち右側部材１１０の側から見た状態を示しており、図１（ｂ）において図示を省略する左側部材１２０も右側部材１１０と同様の構成を備えるものとする。
【００１２】
図１（ａ）に示すように、鉄筋用保持具１００は、当該保持具の右側に位置する右側部材１１０と、左側に位置する左側部材１２０と、これらの部材を接続する接続部材１３０と、を含み、上記右側部材１１０、左側部材１２０及び接続部材１３０は、いずれも１本の線材として一体に形成されている。ここで、鉄筋用保持具１００は、例えば金属製の線材を曲げ成形する手法や、あるいは硬質の樹脂材料を金型で成形する手法等の、任意の手法で製造することができる。
【００１３】
右側部材１１０は、交差する２本の鉄筋（後述する図２の符号１０参照）のうちの一方に対して、その中心線を挟んだ両側部に当接する側部当接部１１２及び底部に当接する底部当接部１１４と、上記した２本の鉄筋のうちの他方を内側に収容する断面略Ｃ字状の屈曲部１１６と、を備える。同様に、左側部材１２０も、側部当接部１２２及び底部当接部１２４と、断面略Ｃ字状の屈曲部１２６と、を備える。そして、図１（ｃ）に示すように、右側部材１１０の側部当接部１１２及び底部当接部１１４と、左側部材１２０の側部当接部１２２及び底部当接部１２４と、により、幅Ｄ１の内部空間Ｓ１が形成される。ここで、内部空間Ｓ１の幅Ｄ１は図２に示す鉄筋２０の外径ｄ１とほぼ同一であり、対向する側部当接部１１２及び１２２の上端部の間隔Ｌ１は幅Ｄ１より小さくなるように設定される。これらの構成により、内部空間Ｓ１に鉄筋２０が収容されると、対向する側部当接部１１２及び１２２が抜け止めとして機能する。
【００１４】
図１（ｂ）に示すように、右側部材１１０の屈曲部１１６は、内面が直径Ｄ２である円の一部となっており、当該円弧の一端は上記底部当接部１１４に接続され、他端には上記円の外側に向けて折り曲げられた折曲部１１８が形成されている。ここで、屈曲部１１６の内面の直径Ｄ２は図２に示す鉄筋３０の外径ｄ２と同一であり、上記した円弧の両端（すなわち、屈曲部１１６と底部当接部１１４との接点Ｐ１と折曲部１１８の折り曲げ点Ｐ２）の間隔Ｌ２は直径Ｄ２より小さいものとする。この形状は、左側部材１２０の屈曲部１２６についても同様である。これらの構成により、対向する屈曲部１１６及び１２６の内側の領域には、内部空間Ｓ２が形成される。
【００１５】
図２は、図１に示した鉄筋用保持具を用いた鉄筋の固定保持方法の概略を示す図であって、図２（ａ）は鉄筋を交差させた状態、図２（ｂ）は鉄筋用保持具を配置した状態、図２（ｃ）は鉄筋用保持具を押し込んでいる状態、図２（ｄ）は固定保持が終了した状態をそれぞれ示す。なお、図２（ｂ）及び図２（ｃ）は、それぞれ図２（ａ）に示した鉄筋の配置を図示上左側すなわち鉄筋用保持具１００の右側部材１１０の側から見た状態を示しており、図示を省略する左側部材１２０の側でも同様の構成を備えるものとして、繰り返しての説明は省略する。
【００１６】
本発明の代表的な一例による鉄筋用保持具１００を用いた鉄筋１０の固定保持方法は、図１で示した鉄筋用保持具１００を準備する工程と、複数の鉄筋２０、３０を交差させる工程と、これら複数の鉄筋１０の交差点に上記鉄筋用保持具１００を内部空間Ｓ１及びＳ２のそれぞれの開口側に鉄筋２０、３０が位置するように配置する工程と、鉄筋用保持具１００を回動させて上記内部空間Ｓ１及びＳ２内に鉄筋２０及び３０をそれぞれ押し込む工程と、を含む。
【００１７】
図２（ａ）に示すように、鉄筋用保持具１００で固定保持される鉄筋１０は、２本の鉄筋すなわち鉄筋２０に略直交する態様で鉄筋３０が載置された状態で配置される。このように交差した２本の鉄筋２０、３０の交差点において、図２（ｂ）に示すように、鉄筋用保持具１００を、内部空間Ｓ１の開放側が下側に位置する鉄筋２０と対向し、かつ内部空間Ｓ２の開放側が上側に位置する鉄筋３０と対向するように配置する。
【００１８】
続いて、図２（ｃ）に示すように、側部当接部１１２を矢印Ｆ１の方向に、同時に屈曲部１１６をＦ２の方向に、鉄筋２０及び３０が内部空間Ｓ１及びＳ２にそれぞれ押し込まれるように回動させる。このとき、鉄筋用保持具１００の構成要素は、それぞれ１本の線材として一体に形成されているため、内部空間Ｓ１を形成する側部当接部１１２及び１２２の間の間隔Ｌ１に外径ｄ１の鉄筋２０が押し込まれると、対向する側部当接部１１２及び１２２はそれぞれ外側に開くように弾性変形し、鉄筋２０が内部空間Ｓ１に完全に収容されると元の間隔Ｌ１に戻る。同様に、内部空間Ｓ２を形成する対向した屈曲部１１６及び１２６の開放する間隔Ｌ２に外径ｄ２の鉄筋３０が押し込まれると、円弧の一部である屈曲部１１６及び１２６は上記間隔Ｌ２が開く方向にそれぞれ弾性変形し、鉄筋３０が内部空間Ｓ２に完全に収容されると元の間隔Ｌ２に戻る。これにより、図２（ｄ）に示すように、交差する２本の鉄筋２０及び３０が、本発明による鉄筋用保持具１００によって強固に位置決め保持される。
【００１９】
ここで、鉄筋用保持具１００の内部空間Ｓ１に収容される鉄筋２０は、その最外周となる節部２２が、当該鉄筋２０に沿って配置される側部当接部１１２及び１２２並びに底部当接部１１４及び１２４の内面とそれぞれ接触しているため、鉄筋２０の長手方向に微小にスライドが可能となる。一方、内部空間Ｓ２に収容される鉄筋３０は、自重により上記屈曲部１１６及び１２６の下部に優先的に接触する。このため、鉄筋３０の節部３２の側面が屈曲部１１６又は１２６の側面に接触することとなり、鉄筋３０の長手方向においては、鉄筋用保持具１００は隣り合う上記節部３２どうしの間隔内でのみスライド自在となる（言い換えれば、鉄筋用保持具１００は、鉄筋３０の長手方向では節部３２がストッパの機能を果たす）。
【００２０】
かかる構成により、上記した鉄筋用保持具１００は、右側部材１１０と左側部材１２０と接続部材１３０とを線材として一体に形成し、対向する側部当接部１１２、１２２と底部当接部１１４、１２４とで内部空間Ｓ１を構成するとともに、対向する屈曲部１１６、１２６で内部空間Ｓ２を構成することにより、交差する鉄筋１０の交差点において、一連の押し込み動作（いわゆる「ワンタッチ」作業）のみで２本の鉄筋を固定保持できるため、取り付け動作が容易となる。また、交差する鉄筋のそれぞれにおいて微小なスライドを可能としているため、取り付け後に個々の鉄筋の長手方向に位置調整が可能となる。
【００２１】
以上、本発明による実施例及びこれに基づく変形例を説明したが、本発明は必ずしもこれらの例に限定されるものではない。また、当業者であれば、本発明の主旨又は添付した特許請求の範囲を逸脱することなく、様々な代替実施例及び改変例を見出すことができるであろう。
【符号の説明】
【００２２】
１０  （複数の）鉄筋
２０、３０  鉄筋
２２、３２  節部
１００  鉄筋用保持具
１１０  右側部材
１１２  側部当接部
１１４  底部当接部
１１６  屈曲部
１１８  折曲部
１２０  左側部材
１２２  側部当接部
１２４  底部当接部
１２６  屈曲部
１２８  折曲部
１３０  接続部材
【図１】
2019065539.tif 000003
【図２】
2019065539.tif 000004
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
交差する２本の鉄筋をこれらの交差点で固定保持するための鉄筋用保持具であって、
前記２本の鉄筋のうちの一方において、その中心線に対して右側から当接する右側部材と、
前記２本の鉄筋のうちの一方において、その中心線に対して左側から当接する左側部材と、
前記右側部材及び前記左側部材を一体に接続する接続部材と、
により構成され、
前記右側部材及び前記左側部材は、前記２本の鉄筋のうちの一方に対して、前記中心線に沿って側部に当接する側部当接部及び前記中心線に沿って底部に当接する底部当接部と、前記２本の鉄筋のうちの他方を内側に収容する断面略Ｃ字状の屈曲部と、を備え、
前記右側部材、前記左側部材及び前記接続部材は、いずれも線材として一体に形成されている
ことを特徴とする鉄筋用保持具。